【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
搬送中のシートの斜行量を検出する斜行量検出手段と、
前記シートを搬送しながら斜行補正を行う斜行補正手段と、
前記シートに穿孔するパンチ手段と、
前記パンチ手段を駆動するパンチ駆動手段と、
シート搬送方向と交差する方向のシート端部を検出するシート端部検知手段と、
前記パンチ手段をシート搬送方向に対して交差する方向に移動させるパンチ移動手段と、
シート搬送方向のシートを検出するシート検知手段と、
シートの斜行補正、及び前記シートへの穿孔動作を制御する制御手段と、を備え、
前記制御手段は、前記斜行量検出手段の検出結果に基づき、前記斜行補正手段によって前記シートの斜行を補正した後、前記シート端部検知手段の検出結果に基づき、前記パンチ移動手段によってシート搬送方向と交差する方向の前記パンチ手段の位置決めを行い、前記シート検知手段の検出結果に基づき、前記パンチ駆動手段によって前記シートに穿孔するよう制御する
ことを特徴とするシート処理装置。
【請求項２】
前記斜行補正手段は、前記シートを搬送するローラ対を２組有し、
前記各ローラ対は、シート搬送方向と交差する方向に配置され、
前記制御手段は、前記斜行量検出手段の検出結果に応じて、前記各ローラ対の搬送速度を互いに異ならしめることによって搬送されてきた前記シートの斜行を補正する
ことを特徴とする請求項１に記載のシート処理装置。
【請求項３】
前記斜行補正手段は、前記各ローラ対を各々独立に駆動する、２つの駆動源を備え、
前記制御手段は、前記斜行量検出手段の検出結果に応じて、前記各駆動源の駆動速度をそれぞれ制御することによって前記各ローラ対の搬送速度を互いに異ならしめる
ことを特徴とする請求項２に記載のシート処理装置。
【請求項４】
前記シート検知手段は、前記斜行補正手段による斜行補正終了後に、シート搬送方向のシートの後端を検知する位置に配置され、
前記制御手段は、前記シート検知手段により前記シートの後端を検知した後、前記パン
チ駆動手段を駆動するよう制御する
ことを特徴とする請求項１から３のいずれか１項に記載のシート処理装置。
【請求項５】
前記シート端部検知手段は、シート搬送方向と交差する方向へ移動してシート端部検出を行い、
前記制御手段は、前記斜行補正手段による斜行補正終了後に、前記シート検知手段の検出結果に基づき、前記パンチ移動手段により前記パンチ手段と前記シート端部検知手段の移動を開始させる制御を行う
ことを特徴とする請求項１から３のいずれか１項に記載のシート処理装置。
【請求項６】
前記シート端部検知手段は、シート搬送方向と交差する方向へ移動してシート端部検出を行い、
前記制御手段は、前記斜行量検出手段の検出結果に基づき、前記斜行補正手段による前記シートの斜行補正に要する補正時間を算出し、前記補正時間経過後、前記パンチ移動手段により前記パンチ手段と前記シート端部検知手段の移動を開始させる制御を行う
ことを特徴とする請求項１から３のいずれか１項に記載のシート処理装置。
【請求項７】
前記制御手段は、前記シート検知手段により前記シートのシート搬送方向先端を検知した後、前記パンチ移動手段を駆動するよう制御する
ことを特徴とする請求項５に記載のシート処理装置。
【請求項８】
前記制御手段は、前記シートの先端検知により、用紙サイズに応じて所定距離搬送した後、前記パンチ駆動手段を駆動するよう制御する
ことを特徴とする請求項７に記載のシート処理装置。
【請求項９】
前記パンチ手段を支持するケーシングを有し、
前記シート端部検知手段は、前記ケーシングに移動自在に支持されている
ことを特徴とする請求項５または６に記載のシート処理装置。
【請求項１０】
前記パンチ手段は、前記斜行補正手段よりもシート搬送方向上流側に備えられる
ことを特徴とする請求項１から３のいずれか１項に記載のシート処理装置。
【請求項１１】
前記シート検知手段は、前記斜行補正手段よりもシート搬送方向上流側に備えられる
ことを特徴とする請求項１から３のいずれか１項に記載のシート処理装置。
【請求項１２】
前記斜行補正手段による斜行補正終了前に、前記シート検知手段がシートの後端を検知した場合には、前記制御手段は、前記パンチ手段によるパンチ動作を禁止する
ことを特徴とする請求項４に記載のシート処理装置。
【請求項１３】
前記斜行補正手段のシート搬送方向上流側に設けられ、前記シートを搬送するシート搬送手段と、
前記シート搬送手段を前記シート搬送方向に対して、交差する方向に移動させる移動手段と、を備え、
前記制御手段は、前記移動手段によって前記シート搬送手段を移動させる移動量を前記斜行量検出手段の検出結果に応じて制御する
ことを特徴とする請求項１から３のいずれか１項に記載のシート処理装置。
【請求項１４】
前記制御手段は、前記シート搬送手段の移動制御を前記斜行補正手段による斜行補正動作中に行う
ことを特徴とする請求項１３に記載のシート処理装置。
【請求項１５】
シート上に画像を形成する画像形成部と、
画像形成されたシートに処理を施す請求項１から１３のいずれか１項に記載のシート処理装置と、
を備えたことを特徴とする画像形成装置。
【請求項１６】
シート上に画像を形成する画像形成部と、
画像形成された搬送中のシートの斜行量を検出する斜行量検出手段と、
前記シートを搬送しながらシートの斜行補正を行う斜行補正手段と、
前記シートに穿孔するパンチ手段と、
前記パンチ手段を駆動するパンチ駆動手段と、
シート搬送方向と交差する方向のシート端部を検出するシート端部検知手段と、
前記パンチ手段をシート搬送方向に対して交差する方向に移動させるパンチ移動手段と、
シート搬送方向のシートを検出するシート検知手段と、
シートの斜行補正、及び前記シートへの穿孔動作を制御する制御手段と、を備え、
前記制御手段は、前記斜行量検出手段の検出結果に基づき、前記斜行補正手段によって前記シートの斜行を補正した後、前記シート端部検知手段の検出結果に基づき、前記パンチ移動手段によってシート搬送方向と交差する方向の前記パンチ手段の位置決めを行い、前記シート検知手段の検出結果に基づき、前記パンチ駆動手段によって前記シートに穿孔するよう制御する
ことを特徴とする画像形成装置。
【請求項１７】
前記斜行補正手段は、前記シートを搬送するローラ対を２組有し、
前記各ローラ対は、シート搬送方向と交差する方向に配置され、
前記制御手段は、前記斜行量検出手段の検出結果に応じて、前記各ローラ対の搬送速度を互いに異ならしめることによって搬送されてきた前記シートの斜行を補正する
ことを特徴とする請求項１６に記載の画像形成装置。
【請求項１８】
前記斜行補正手段は、前記各ローラ対を各々独立に駆動する、２つの駆動源を備え、
前記制御手段は、前記斜行量検出手段の検出結果に応じて、前記各駆動源の駆動速度をそれぞれ制御することによって前記各ローラ対の搬送速度を互いに異ならしめる
ことを特徴とする請求項１７に記載の画像形成装置。
【請求項１９】
前記シート端部検知手段は、シート搬送方向と交差する方向へ移動してシート端部検出を行い、
前記制御手段は、前記斜行補正手段による斜行補正終了後に、前記シート検知手段の検出結果に基づき、前記パンチ移動手段により前記パンチ手段と前記シート端部検知手段の移動を開始させる制御を行う
ことを特徴とする請求項１６から１８のいずれか１項に記載の画像形成装置。
【請求項２０】
前記シート端部検知手段は、シート搬送方向と交差する方向へ移動してシート端部検出を行い、
前記制御手段は、前記斜行量検出手段の検出結果に基づき、前記斜行補正手段による前記シートの斜行補正に要する補正時間を算出し、前記補正時間経過後、前記パンチ移動手段により前記パンチ手段と前記シート端部検知手段の移動を開始させる制御を行う
ことを特徴とする請求項１６から１８のいずれか１項に記載の画像形成装置。
【手続補正２】
【補正対象書類名】明細書
【補正対象項目名】００１３
【補正方法】変更
【補正の内容】
【００１３】
本発明は、前述の技術的課題を解決すべく以下のような構成とされている。
すなわち、本発明のシート処理装置は、
搬送中のシートの斜行量を検出する斜行量検出手段と、
前記シートを搬送しながら斜行補正を行う斜行補正手段と、
前記シートに穿孔するパンチ手段と、
前記パンチ手段を駆動するパンチ駆動手段と、
シート搬送方向と交差する方向のシート端部を検出するシート端部検知手段と、
前記パンチ手段をシート搬送方向に対して交差する方向に移動させるパンチ移動手段と、
シート搬送方向のシートを検出するシート検知手段と、
シートの斜行補正、及び前記シートへの穿孔動作を制御する制御手段と、を備え、
前記制御手段は、前記斜行量検出手段の検出結果に基づき、前記斜行補正手段によって前記シートの斜行を補正した後、前記シート端部検知手段の検出結果に基づき、前記パンチ移動手段によってシート搬送方向と交差する方向の前記パンチ手段の位置決めを行い、前記シート検知手段の検出結果に基づき、前記パンチ駆動手段によって前記シートに穿孔するよう制御する
ことを特徴とする。